(57)【要約】      （修正有）【課題】適量な忌避材を長期間に亘って安定的に放出することができる害獣忌避具を提供すること。【解決手段】外力を加えることで変形可能な可撓部２１ｂ、及び可撓部の内部に連通する通孔部２３ａを備える容器２０と、可撓部の内部に収容され、害獣に忌避される所定の忌避材５が封入される硬脆性を有する封入材３と、通孔部に設けられ、可撓部の変形により封入材が破割することで容器の内部に漏出した忌避材を外部に透過させる透過材７と、から成り、封入材と透過材との間には、忌避材の透過材への通過を許容するとともに、破割した封入材の破片３’の透過材への通過を抑止する抑止部２２ｂを設けた。【選択図】図２
2017055677.tif 000002
【特許請求の範囲】
【請求項１】
外力を加えることで変形可能な可撓部、及び可撓部の内部に連通する通孔部を備える容器と、
前記可撓部の内部に収容され、害獣に忌避される所定の忌避材が封入される硬脆性を有する封入材と、
前記通孔部に設けられ、前記可撓部の変形により前記封入材が破割することで前記容器の内部に漏出した前記忌避材を外部に透過させる透過材と、から成り、
前記封入材と前記透過材との間には、前記忌避材の前記透過材への通過を許容するとともに、破割した前記封入材の破片の前記透過材への通過を抑止する抑止部が設けられていることを特徴とする害獣忌避具。
【請求項２】
前記抑止部は、前記透過材と離間して設けられていることを特徴とする請求項１に記載の害獣忌避具。
【請求項３】
前記容器は、前記通孔部から外方に向けて延設された保護壁を有することを特徴とする
請求項１または２に記載の害獣忌避具。
【請求項４】
前記容器は、前記可撓部を備えた容器本体と、該容器本体に取付けられ、前記抑止部を備えた第一取付部材と、前記第一取付部材に前記透過材を介して取付けられ、前記通孔部を備えた第二取付部材と、により構成されていることを特徴とする請求項１ないし３のいずれかに記載の害獣忌避具。
【発明の詳細な説明】
【技術分野】
【０００１】
本発明は、猪や鹿等の野生動物が農地に侵入するのを防止するための害獣忌避具に関する。
【背景技術】
【０００２】
近年、猪や鹿などの害獣が山から下りてきて農作物を食べたり、山間部の苗木を食べたりするといった被害が各地で見られており、このような猪や鹿による被害対策の一例として、農作物等を栽培する農地や苗木を植林した山間部の周囲を防護柵で囲むことや、それらの保護エリアに該害獣が近づかないように、害獣が嫌がる臭気を放つ忌避材を、開口を有する容器に収容し、保護エリアの周辺に配置する害獣忌避具が開示されている。（例えば、特許文献１参照）
【先行技術文献】
【特許文献】
【０００３】
【特許文献１】特開２００８−２８３９１１号公報（第９頁、第１図）
【発明の概要】
【発明が解決しようとする課題】
【０００４】
一般に、このような害獣忌避具は設置又は交換する農家の利便性を考慮し、少なくとも数か月程度、長い場合には数年程度に亘って野外に継続して配置された状態で忌避効果を持続することが望ましい。しかしながら、特許文献１に開示される害獣忌避具では、忌避材を外部に逐次放出する開口が常に開放状態となっているため、この害獣忌避具を長期間に亘り野外で配置すると、直射日光や雨等の影響で忌避材の濃度が変化したり、風等の外力を受けることにより、姿勢変化を起こし、忌避材を一度に大量に漏出したりすることがあり、適量な忌避材を長期間に亘って安定的に放出することが難しいという問題があった。
【０００５】
本発明は、このような問題点に着目してなされたもので、適量な忌避材を長期間に亘って安定的に放出することができる害獣忌避具を提供することを目的とする。
【課題を解決するための手段】
【０００６】
前記課題を解決するために、本発明の害獣忌避具は、
外力を加えることで変形可能な可撓部、及び可撓部の内部に連通する通孔部を備える容器と、
前記可撓部の内部に収容され、害獣に忌避される所定の忌避材が封入される硬脆性を有する封入材と、
前記通孔部に設けられ、前記可撓部の変形により前記封入材が破割することで前記容器の内部に漏出した前記忌避材を外部に透過させる透過材と、から成り、
前記封入材と前記透過材との間には、前記忌避材の前記透過材への通過を許容するとともに、破割した前記封入材の破片の前記透過材への通過を抑止する抑止部が設けられていることを特徴としている。
この特徴によれば、容器の可撓部が外力を受けることで忌避材が容器内部に漏出し、透過材を介して通孔部より外部に放出できる状態となるため、安定して適量の忌避材を放出する状態を開始できるばかりか、封入材と透過材との間に抑止部が設けられていることにより、封入材の破片が透過材へと通過するのを抑止し、透過材が封入材の破片により損傷することを防止できるため、透過材による適量な放出状態を維持することができる。
【０００７】
本発明の害獣忌避具は、
前記抑止部は、前記透過材と離間して設けられていることを特徴としている。
この特徴によれば、封入材が割れ、その破片が抑止部により透過材への通過を抑止された際に、抑止された封入材の破片の一部が抑止部を通過しても、抑止部と透過材が離間していることにより、当該微細な破片が透過材に到達しにくくなり、透過材の損傷を防ぎ、忌避材の漏出を防止することができる。
【０００８】
本発明の害獣忌避具は、
前記容器は、前記通孔部から外方に向けて延設された保護壁を有することを特徴としている。
この特徴によれば、透過材が設けられた通孔部から外方に向けて延設された保護壁が存在することにより、通孔部と外部との間に一定の間隔を設けることができるため、害獣忌避具を外部に長期間配置した際に、雨水や砂塵が通孔部より侵入し、透過材が損傷することを防ぐことができる。
【０００９】
本発明の害獣忌避具は、
前記容器は、前記可撓部を備えた容器本体と、該容器本体に取付けられ、前記抑止部を備えた第一取付部材と、前記第一取付部材に前記透過材を介して取付けられ、前記通孔部を備えた第二取付部材と、により構成されていることを特徴としている。
この特徴によれば、忌避対象とする害獣の種類や効果持続期間といった要求仕様に合わせて各部材を取り換えることが可能となるため、必要に応じて容器本体に収容される封入材や、通孔部の大きさを変更することができる。
【図面の簡単な説明】
【００１０】
【図１】本発明の害獣忌避具を示す一部断面正面図である。
【図２】（ａ）本発明の害獣忌避具の使用開始時おける外力を加えた際、（ｂ）その後の使用状態を示す正面断面図である。
【図３】本発明の害獣忌避具の通孔部周辺の断面拡大図である。
【図４】本発明の第一取付部材、透過材、第二取付部材の分解斜視図である。
【図５】本発明の害獣忌避具の使用状態での（ａ）害獣が近づく状態、（ｂ）害獣が忌避材により離れていく状態を表す図である。
【図６】本発明の害獣忌避具の他の使用状態を表す図である。
【図７】本発明の害獣忌避具の他の実施例における（ａ）使用前の正面断面図、（ｂ）使用前の一部拡大断面図、（ｃ）使用状態の正面図である。
【図８】本発明の害獣忌避具の他の形状を示す図である。
【実施例１】
【００１１】
実施例１に係る害獣忌避具につき、図１〜図６を参照して説明する。
最初に、害獣忌避具１の基本的な構造について説明する。尚、説明上、図１における上下方向を害獣忌避具の上下方向、図１における左右方向を害獣忌避具の左右方向とし、上から下に向かう方向を鉛直方向と定義して説明する。
【００１２】
図１及び図２に示すように、害獣忌避具１は、筒状の容器本体２１、第一取付部材２２、及び通孔部２３ａを備えた第二取付部材２３からなる容器２０と、容器本体２１に収容され所定の害獣を忌避する忌避材５が封入された封入材３と、から主に構成される。より詳しくは害獣忌避具１は、上下方向に延びる略円筒形を有する容器本体２１の内部に溶媒４が充填された状態で、忌避材５が封入された略円筒形の封入材３を収容しており、容器本体２１の下方には第一取付部材２２が固定されていると共に、第一取付部材２２の内部には膜状の透過材７を介して第二取付部材２３が内部に固定されている。（図２参照）。容器本体２１の頂上部には懸架部２１ａが設けられており、後述する使用状態において、既設の柵や樹木の枝等に懸架可能な構造となっている。
【００１３】
図２に示すように、容器本体２１は、封入材３を内部に収容する収容部２１ｂと、収容部２１ｂよりも径が大きく、上下方向に短い大径部２１ｃとにより構成されており、また第一取付部材２２は、その上部が大径部２１ｃの内部に圧入された後に溶着され、固定されている。ここで、本実施例における容器本体２１の左右方向の外形寸法としては、収容部２１ｂにおいて約１３ｍｍ、大径部２１ｃにおいて約１６ｍｍとなっており、左右方向の内径寸法としては、収容部２１ｂにおいて約１０ｍｍ、大径部２１ｃにおいて約１３ｍｍとなっている。すわなち、収容部２１ｂと大径部２１ｃの肉厚は、略同寸法の約１．５ｍｍとなっている。このように、容器本体２１の各部を略同一寸法とすることで、樹脂成形時の収縮により起こり得るヒケによる不具合を回避することができる。また、上下方向の外形寸法としては、収容部２１ｂが約１５０ｍｍ、大径部２１ｃが約１４ｍｍとなっている。
【００１４】
また、容器本体２１の収容部２１ｂはその材質により外力により変形可能な可撓性を有しており、本実施例においてはポリエチレンにより大径部２１ｃと一体に形成されているが、その他の樹脂材やゴム材又はエラストマー材等の外力により変形可能な可撓性を有するものであればよく、収容部２１ｂと大径部２１ｃは異なる樹脂材により二色成形されていても良い。その場合においては、大径部２１ｃには可撓性を有さない樹脂材を採用することもできる。すなわち、収容部２１ｂが本発明における可撓部を構成している。
【００１５】
次に、封入材３は、その内部の略円筒形の空間に、所定の害獣に忌避される忌避材５が封入されており、外力を受けた際に割れることで、封入された忌避材５を容器本体２１の内部に漏出する硬脆性材により構成されている。封入材３の材質としては、本実施例においては薄肉のガラスアンブルを採用しているが、これに限られず陶磁器、セラミック、金属、石材・フェライト等であっても構わないし、薄肉でなくとも、外力によって破割する硬脆性を有するものであればよい。また、本実施例における封入材３の外形寸法は、容器本体２１の収容部２１ｂよりも小径であり、左右方向に約５ｍｍ、上下方向に約４０ｍｍとなっている。また、忌避材５の成分の詳細については後述する。
【００１６】
次に、図３及び図４に示すように、第一取付部材２２は垂直断面視において略凸形状であり、水平断面視において略円形の構造をしており、その上面を成し、複数の貫通孔２２ａを有する抑止部２２ｂと、容器本体２１の大径部２１ｃに嵌合固定される固定部２２ｃと、固定部２２ｃから下方に向けて漸次拡径する拡径部２２ｄと、拡径部２２ｄと連なり、下方に延設される外周部２２ｅと、により主に構成されており、使用前の状態において、その内部は容器本体２１に連通し溶媒４が充填されている。
【００１７】
ここで、第一取付部材２２の各部の寸法として、第一取付部材２２の肉厚は、容器本体２１の肉厚と同寸の約１．５ｍｍとなっており、固定部２２ｃの左右方向の内径寸法は、容器本体２１の収容部２１ｂと同じ約１０ｍｍであり、外周部２２ｅの左右方向の外形寸法は約２７ｍｍ、内径寸法は約２４ｍｍとなっている。
また、貫通孔２２ａの直径は、１ｍｍから２．５ｍｍ程度が好ましく、更に抑止部２２ｂの厚みよりも小径であることがより好ましい。針状の形状を有する封入材３の破片３’が貫通孔２２ａに進入した場合に、貫通孔２２ａの直径よりも厚みが大きければ、その内周面にて封入材３の破片３’を保持できるからである。
【００１８】
なお、本実施例においては、抑止部２２ｂの厚みが約１．５ｍｍに対して貫通孔２２ａの直径は約１．３ｍｍとなっており、周方向に等配に複数設けられている。このように、貫通孔２２ａが抑止部２２ｂの周方向に等配に設けられていることで、害獣忌避具１の配置される姿勢に依らず、均一に忌避材５と溶媒４の混合液が容器本体２１の全体に充満することができる。また、上下方向の外形寸法としては、固定部２２ｃが約１２ｍｍ、外周部２２ｅが約１９ｍｍとなっている。
また、第一取付部材２２の材質は本実施例では容器本体２１と同じポリエチレンであるが、異なる材質を用いても良い。
【００１９】
次に、第一取付部材２２の外周部２２ｅの内部には、膜状の透過材７を介して、略円筒形の第二取付部材２３が嵌合固定されている。第二取付部材２３はその上面の中央及び周方向に複数等配に設けられた上下に貫通した通孔部２３ａを有しており、容器２０の内部に連通しているため、後述する使用状態において、忌避材５を通孔部２３ａより外部に放出できる構造となっている。このように通孔部２３ａが周方向に等配に設けられていることで、害獣忌避具１の配置される姿勢に依らず、滞りなく外部に揮発した忌避材５を放出できる構造となっている。
また、本実施例において第二取付部材２３の肉厚は、容器本体２１の肉厚と略同寸の約１．５ｍｍで構成されており、材質は容器本体２１と同じポリエチレンであるが、異なる材質を用いても良い。
【００２０】
次に、透過材７は、第二取付部材２３の上部に、第二取付部材２３の上面と外周面を覆うように設けられており、第一取付部材２２の外周部２２ｅの内周面と第二取付部材２３の周壁２３ｂの外周面に挟持されるように保持されている。ここで、透過材７は薄膜状の樹脂フィルムにより成形されており、液体の大部分を容器２０の内部に保持するとともに、液体の下方に位置する樹脂フィルムが乾燥することなく常に液体に接し、少量ずつ透過して揮発する。このように、透過材７が液体の大部分を保持する材質により形成され、第二取付部材２３の通孔部２３ａを覆うように密着して設けられていることで、使用前の状態において、容器本体２１及び第一取付部材２２の内部に充填された溶媒４が外部に漏出することなく保持されている。また、透過材７が第一取付部材２２の外周部２２ｅの内周面と第二取付部材２３の周壁２３ｂの外周面に挟持されていることにより、透過材７が容器２０の外側に露出することがないため、透過材７が外的要因で損傷することがなく、害獣忌避具１の姿勢変化により透過材７の配置位置がずれたり隙間が生じたりする虞を無くすことができ、所定の透過機能を継続して維持することができる。
【００２１】
次に、図３に示すように、第二取付部材２３は、通孔部２３ａの上面から下方に向けて周方向に延設された周壁２３ｂを有している。本実施例においては、周壁２３ｂの上下方向の寸法は約１２ｍｍとなっており、外周部２２ｅの左右方向の内径の約半分の寸法となっている。この周壁２３ｂの内部には空間が形成されており、第一取付部材２２に透過材７を介して第二取付部材２３を固定した状態において、容器２０の開口を形成しているため、通孔部２３ａから容器２０の開口までには周壁２３ｂの高さに相当する約１２ｍｍの距離が設けられることになる。
【００２２】
このように、透過材７と容器２０の開口が離間していることで、害獣忌避具１を長期間に亘り野外へ配置した場合においても、開口が下向きに配置されるため雨水が入りにくく、仮に地面に落下しても土と透過材７が触れにくいため、水や砂塵が通孔部２３ａより侵入し、透過材７が損傷する虞を防ぐことができる。すなわち、第一取付部材２２の外周部２２ｅと、その内部に固定される第二取付部材２３の周壁２３ｂが、本発明の保護壁を構成していることとなる。
【００２３】
また、第一取付部材２２の内部に第二取付部材２３が固定された状態において、第一取付部材２２の抑止部２２ｂは、第二取付部材２３の上面に設けられた透過材７と一定の距離を離間して設けられている。一定の距離とは本実施例においては約１３ｍｍとなっているが、この距離に限られず、例えば固定部２２ｃの内径以上であることが好ましい。
【００２４】
また、本実施例においては、害獣忌避具１の容器２０は、容器本体２１、第一取付部材２２及び第二取付部材２３により構成されていたが、このように複数の部品毎に成型することで、各部品の形状を簡素化し、成形を容易にすることができるほか、例えば対象とする害獣に合わせて封入材３に封入する忌避材５の種類を変えたり、効果持続期間の要求に合わせて容器２０の内容量を大きくしたり、通孔部２３ａのサイズを変更したりする場合に、変更が必要な各部品のみを別の寸法で成形すればよく、他の部品については共通する部品を変更せずに利用することができる。しかしながら、本発明の害獣忌避具の容器２０としては、これらの態様に限られず、これらの部品の内の幾つか又は全部を一体で成形することで部品点数を減らすようにしても良い。
【００２５】
次に、害獣忌避具１の使用方法と作用効果について説明する。
図２（ａ）に示すように、使用開始時において、容器本体２１の収容部２１ｂは可撓性を有しているため、使用者が外力を加えることで所定量変形する。この時、収容部２１ｂの内部に収容された封入材３は硬脆性材により形成されているため、収容部２１ｂの変形に追従して変形することができず、割れることで内部に封入していた忌避材５を容器本体２１の内部に漏出する。
【００２６】
次に、図２（ｂ）に示すように、容器本体２１の収容部２１ｂの変形が戻るとともに、封入材３の内部に封入されていた忌避材５は容器本体２１の内部に次第に拡散してゆき、溶媒４と混合した状態で容器本体２１の内部に充満した状態となるが、この溶媒４と忌避材５の混合液が液体状であるため、第一取付部材２２の抑止部２２ｂに設けられた貫通孔２２ａを通過し、第一取付部材２２の内部にも充満した状態となる。
【００２７】
この時、封入材３は割れたことにより多数の破片３’となり、封入材としての当初の構造を保てなくなるため、鉛直方向に崩落してゆくが、第一取付部材２２の上面を成す抑止部２２ｂにより透過材７に向けて第一取付部材２２の内部に通過するのを抑止される。すなわち、抑止部２２ｂに貫通孔２２ａが設けられているため、貫通孔２２ａを通過できる液体状の溶媒４と忌避材５の混合液は、透過材７への通過を抑止部２２ｂにより許容されるが、貫通孔２２ａを通過できない封入材３の破片３’は透過材７への通過を抑止部２２ｂにより抑止されることになる。これにより、第一取付部材２２の内部には貫通孔２２ａを通過した溶媒４と忌避材５の混合溶液のみが充満した状態となり、透過材７を介した状態で第二取付部材２３に設けられた通孔部２３ａと隣接した状態となる。
【００２８】
ここで、図３に示すように、封入材３の破片３’の形状によっては、第一取付部材２２の抑止部２２ｂに設けられた貫通孔２２ａから飛び出す場合が想定されるが、抑止部２２ｂは前述のとおり透過材７から一定の距離を離間して設けられているため、仮に抑止部２２ｂに抑止された封入材３の破片３’の一部が、貫通孔２２ａから飛び出していても、これにより透過材７が傷つけられることはない。
また、封入材３の割れ方により、貫通孔２２ａよりも微細な破片３’が発生する虞もあるが、この場合においても、第一取付部材２２の内部に溶媒４と忌避材５の混合液が充満しているため、貫通孔２２ａを通過した微細で軽量な破片３’は、この混合液の充満している空間により、落下に伴う運動エネルギーが緩衝され、透過材７を損傷するには至らない構造となっている。
【００２９】
次に、第一取付部材２２の内部に充満した溶媒４及び忌避材５の混合液は、時間の経過と共に順次、揮発性を有する忌避成分が揮発することで、第二取付部材２３の通孔部２３ａを介して外部に放出されていくことになるが、溶媒４及び忌避材５の混合割合、若しくは透過材７の材質や膜厚により、経過時間当たりの透過量を管理することができるため、適量な忌避材５を長時間にわたって所定量を安定的に放出することができる。
また、透過材７が通孔部２３ａに設けられていることで、雨や雪により内部の忌避材５が希釈、流出することがなく、風により姿勢変化を起こしても、溶媒４と忌避材５の混合液は透過材７により保持されているため、一時に大量に放出することもない。
【００３０】
更に、この状態において、第一取付部材２２が拡径部２２ｄを有し、通孔部２３ａを有する第二取付部材２３が固定される外周部２２ｅの径が大きくなっていることにより、忌避材５が揮発し、気体となることで体積が膨張する際に、容器２０の内部で留まることなく円滑に外部に放出することができる構成となっている。
【００３１】
次に、害獣忌避具１の野外への設置について説明する。
図５に示すように、害獣忌避具１は柵に懸架した状態で使用される。使用に際しての懸架の方法としては、前述の懸架部２１ａを利用することができる。懸架部２１ａを利用して懸架することで、害獣忌避具１の通孔部２３ａは下方を向いて、且つ害獣忌避具１の底部が地面から離間して配置されることになる。
このため、忌避材５として、揮発した状態で空気よりも重い気体となる成分を用いている場合には、忌避材５の重量を利用して順次外部に放出することで、当該害獣忌避具１を配置した領域の周辺に忌避材５を長期に亘り滞留させることができるとともに、下方に向けて開口しているため、泥や砂の侵入を防ぎ、害獣忌避具１の効果を継続して保つことができる。
【００３２】
また、害獣の頭部に近い高さに配置することにより、効果的に忌避成分を放出できる。更になお、懸架される場所としては上記柵を用いるほか、樹木等に懸架するものであってもよい。なお、害獣忌避具１の設置については、必ずしも懸架部２１ａを利用して懸架するものに限られず、例えば底部を地面に載置してもよく、この場合、第二取付部材２３の周壁２３ｂ及び第一取付部材２２の外周部２２ｅに、揮発した忌避材５を導出するための導出孔またはスリット等の開口部を形成するとともに、害獣忌避具の設置個所周辺の雨水や泥や砂が当該開口部から入らないように開口部の周辺に傘を設ける等の対策を講じることが好ましい。
【００３３】
また、上述のとおり、通孔部２３ａが下方を向いて配置されているため、使用開始後は、容器２０内の溶媒４と忌避材５の質量が大きいため、透過材７に溶媒４と忌避材５の液圧がかかるため、常に透過材７が液体に接触していることになり、フィルムで形成された透過材７が乾燥することなく、常に濡れた状態を維持できるため、順次忌避材が気化し、滞りなく忌避材を外部に放出することができる。
また、通孔部２３ａの下方には周壁２３ｂによる空間が設けられているため、これにより害獣忌避具１の下方を流れる空気によって減圧効果が生まれ、揮発した忌避材４が外部に放出されるのを促すことができる。
【００３４】
次に、図６に示すように、害獣忌避具１、１’、１’’を一定の間隔を置いて複数配置することができる。このように配置することで、忌避成分が放出されることにより境界を形成できるため、より確実に所望のエリアに害獣が近づくことを防止することができるとともに、風の影響等の外力を利用して害獣忌避具それぞれが上端側に位置する懸架部２１ａを支点に揺動し、この揺動により上下動及び回転動が発生することで、溶媒４と忌避材５が下端側に位置する透過材７に加圧されるため、忌避材４の外部への放出を促すことができる。
【００３５】
次に、発明の害獣忌避具１に用いられる忌避材５及び溶媒４の成分について説明する。
例えば、害獣忌避具１が対象とする害獣をシカとして設定する場合には、忌避材５の成分としては３−メルカプト−３−メチル−１−ブタノールとすることが好ましく、これはネコ科の尿の独特の臭いの原因物質であるフェニリンが分解したものであり、工業的には香料の原料として使用されている。
【００３６】
次に、害獣をイノシシとして設定する場合には、忌避材５の成分としては、人体から発せられる臭気成分である炭素数６〜１０の不飽和アルデヒド及び／又は炭素数５〜９の飽和カルボン酸を有効成分とすることが好ましい。不飽和アルデヒドとしては、２−ヘキサール、２−オクテール、２−ノネナール、及びこれらのトランス体等が挙げられるが、効果と持続性を考慮すると、２−ノネナールが特に好ましい。
【００３７】
次に、溶媒４の成分としては、忌避材５を希釈、安定させるためのベンジルアルコールを用いることや、カプサイシンと水の混合液を溶媒とすることで、溶媒自体にも忌避効果をもたらせることもできる。このように封入材３を溶媒４が充填された容器本体２１の内部に収容することで、溶媒４が緩衝材となり、害獣忌避具１の搬送時に受ける外力により封入材３が割れ、内部に封入された忌避材５が漏出するのを防ぐ効果も期待できる。
【実施例２】
【００３８】
次に、実施例２に係る害獣忌避具につき、図７を用いて説明する。なお、実施例１と重複する構成については、図面における符号の指示及び説明を省略する。
図７に示すように、本実施例における害獣忌避具１１は、使用前の状態において長手方向に延びる小径の円筒形状の容器本体３１を有しており、容器本体３１の中央部には、第一取付部材３２及び第二取付部材３３が設けられ、容器３０が構成されている。また、容器本体３１の長手方向の両端部には互いに連結する連結部１９，１９がそれぞれ設けられており、後述する使用状態において、これらの連結部１９，１９を用いて環状に連結できる構造となっている。
【００３９】
次に、使用方法と作用効果について説明する。
本実施例における害獣忌避具１１は、容器本体３１に使用者が外力を加え、容器本体３１を変形し、環状に曲げた状態で前述の連結部１９，１９を連結する。この時、内部に収容された封入材１３は実施例１と同様に割れることにより、内部に封入された忌避材５が容器本体３１の内部に漏出し、溶媒と混合された状態で容器本体３１及び第一取付部材３２の内部に液体状に充満する。
そして、容器本体３１は環状に保持されているため、この環状を用いて既設の柵や樹木の枝に懸架することができる。このように、容器本体３１により懸架することができるため、長期間の配置においても、懸架部の劣化により地面に落下することなく、初期の配置状態を維持することが容易となっている。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、封入材には液体状の忌避材が封入されているが、封入時においては固体や気体でもよく、溶媒と混合することで液体状になるものであってもよいし、固体のまま忌避成分を揮発するものであってもよい。
【００４２】
また、封入材に封入される忌避材は、封入される時点で忌避成分を有していなくともよく、例えば封入材の内部には所定の薬材が封入されており、外力を受けて封入材が割れ、容器２０内に漏出した該薬材が、容器２０内の溶媒若しくは他の薬材と混合することで、忌避材が生成されるものであっても構わないし、忌避材の成分としては、前記実施例で説明した成分に限られず、対象となる害獣の習性に合わせて任意に変更をすることができる。
【００４３】
また、抑止部の構造としては貫通孔を有するもののほか、メッシュ状又はスポンジ状のフィルターを設けたり、金網等により網状に形成された構造を設けたりすることで、液体を通過させ、ガラス片を受けるものであってもよい。
【００４４】
また、通孔部としては容器の下方に向けて設けられるもののほか、その他の方向を向いて設けられても良いし、複数箇所に設けられるような構成であってもよいが、その場合には、雨水や泥や砂がそれらの通孔部から入らないように通孔部の周辺に傘を設ける等の対策を講じることが好ましい。
【００４５】
また、透過材の構造としては膜状のものに限らず、一定の厚みを有しているものであってもよいし、素材についても樹脂フィルムに限らず、繊維材や発泡材等の内部に忌避材を保持しながら僅かに外部に放出するものであればよい。
【００４６】
また、前記実施例では、害獣忌避具は懸架された状態で配置されていたが、配置の態様としては前記実施例に限られず、例えば通孔部を側方若しくは上方に向けて配置されてもよい。
【００４７】
また、容器本体の形状としては、前記実施例で説明した略円筒状に限られず、外力を加えた際に変形可能な可撓部を有するものであれば、例えば球状若しくは箱状若しくは扁平状又はこれらを組み合わせた他の形状であってもよいし、容器本体の全体が外力により変形可能な可撓部であってもよいし、断面が楕円など非円形状の筒状部材で構成されていても良く、例えば図８に示されるように、害獣忌避具１’の容器本体２１’は正面視略矩形状、底面視略楕円形状を有している。
【００４８】
また、第一取付部材の形状としては、前記実施例で説明した形状に限られず、左右方向の径寸法が均一の円筒形等でもよい。
【００４９】
また、第二取付部材の形状としては、通孔部の面積を最大限確保するために、周壁に沿う単一の通孔部のみを有する円筒形状のものであってもよい。
【符号の説明】
【００５０】
１，１’          害獣忌避具
３                封入材
３’              封入材の破片
５                忌避材
７                透過材
２０              容器
２１，２１’      容器本体
２１ｂ            収容部（可撓部）
２２              第一取付部材
２２ｂ            抑止部
２２ｅ            外周部（保護壁）
２３              第二取付部材
２３ａ            通孔部
２３ｂ            周壁（保護壁）
【図１】
2017055677.tif 000003
【図２】
2017055677.tif 000004
【図３】
2017055677.tif 000005
【図４】
2017055677.tif 000006
【図５】
2017055677.tif 000007
【図６】
2017055677.tif 000008
【図７】
2017055677.tif 000009
【図８】
2017055677.tif 000010